(57)【要約】好適な実施形態の一例は、サブフレームに対して、アップリンク送信を開始するための第１割り当てオプションと、アップリンク送信を開始するための第２割り当てオプションとを含むオプショングラントが、アップリンク送信に対して受信されたか確認することと、第１割り当てオプションでアップリンク送信が許可されているかを判定することと、オプショングラントが受信され、アップリンク送信が第１割り当てオプションで許可されている場合、第１割り当てオプションでアップリンク送信を開始することと、第２割り当てオプションでアップリンク送信が許可されているかを判定することと、オプショングラントが受信され、アップリンク送信が第１割り当てオプションで許可されておらず、アップリンク送信が第２割り当てオプションで許可されている場合、第２割り当てオプションでアップリンク送信を開始することとを含む。【選択図】図４
2020511882.tif 000002
【特許請求の範囲】
【請求項１】
少なくとも１つのプロセッサと、コンピュータプログラムコードを含む少なくとも１つのメモリと、を備える装置であって、前記少なくとも１つのプロセッサは、前記少なくとも１つのメモリおよび前記コンピュータプログラムコードによって、前記装置に少なくとも、
第１サブフレームに対して、第１アップリンク送信を開始するための第１割り当てオプションと、前記第１アップリンク送信を開始するための第２割り当てオプションとを含むオプショングラントにより、端末の前記第１アップリンク送信をスケジューリングすることと、
前記第１割り当てオプションで前記第１アップリンク送信が受信されたかを確認することと、
前記第１割り当てオプションで前記第１アップリンク送信が受信されない場合、前記第２割り当てオプションで前記第１アップリンク送信が受信されたかを確認することと、
前記第１割り当てオプションと前記第２割り当てオプションの一方で前記第１アップリンク送信が受信された場合に、前記第１アップリンク送信の処理を指示することと、
を実行させるように構成され、
前記第１サブフレーム内で、前記第２割り当てオプションよりも前記第１割り当てオプションが早い、装置。
【請求項２】
前記少なくとも１つのメモリおよび前記コンピュータプログラムコードは、前記装置にさらに、
第２アップリンク送信を開始するための第３割り当てオプション１つのみを第２サブフレームに対して含む、非オプショングラントにより、前記端末の前記第２アップリンク送信をスケジューリングすることと、
前記第２アップリンク送信を受信させることと、を実行させるように構成される、請求項１に記載の装置。
【請求項３】
前記少なくとも１つのメモリおよび前記コンピュータプログラムコードは、前記装置にさらに、
前記端末に、オプショングラントの送信に対応するシグナリング方式を使用して、前記第１アップリンク送信がスケジューリングされたことと、オプショングラントの送信に対応しないシグナリング方式を使用して、前記第２アップリンク送信がスケジューリングされたことの少なくとも一方を示すことを実行させるように構成される、請求項１または２に記載の装置。
【請求項４】
前記少なくとも１つのメモリおよび前記コンピュータプログラムコードは、前記装置にさらに、
前記端末が前記第１割り当てオプションで前記第１アップリンク送信を送信する場合、前記端末に、前記第１アップリンク送信において、第１変調次数で変調された第１の数の情報ビットを送信するように指示することと、
前記端末が前記第２割り当てオプションで前記第１アップリンク送信を送信する場合、前記端末に、前記第１アップリンク送信において、第２変調次数で変調された第２の数の情報ビットを送信するように指示することと、
前記第１アップリンク送信が前記第１割り当てオプションで受信される場合、前記第１アップリンク送信で受信された前記第１の数の情報ビットを、前記第１変調次数で復調するように指示することと、
前記第１アップリンク送信が前記第２割り当てオプションで受信される場合、前記第１アップリンク送信で受信された前記第２の数の情報ビットを、前記第２変調次数で復調するように指示することと、
を実行させるように構成され、
前記第２変調次数は、前記第１変調次数以上であり、
前記第２の数は、前記第１の数より小さい、
請求項１から３のいずれか一項に記載の装置。
【請求項５】
前記第１変調次数は、前記第２変調次数と等しい、請求項４に記載の装置。
【請求項６】
前記少なくとも１つのメモリおよび前記コンピュータプログラムコードは、前記装置にさらに、
前記端末が前記第１割り当てオプションで前記第１アップリンク送信を送信する場合、前記端末に、前記第１アップリンク送信において、第３変調次数で変調された第３の数の情報ビットを送信するように指示することと、
前記端末が前記第２割り当てオプションで前記第１アップリンク送信を送信する場合、前記端末に、前記第１アップリンク送信において、第４変調次数で変調された第４の数の情報ビットを送信するように指示することと、
前記第１アップリンク送信が前記第１割り当てオプションで受信される場合、前記第１アップリンク送信で受信された前記第３の数の情報ビットを、前記第３変調次数で復調するように指示することと、
前記第１アップリンク送信が前記第２割り当てオプションで受信される場合、前記第１アップリンク送信で受信された前記第４の数の情報ビットを、前記第４変調次数で復調するように指示することと、
を実行させるように構成され、
前記第４変調次数は、前記第３変調次数より大きく、
前記第４の数は、前記第３の数よりも以下である、
請求項１から４のいずれか一項に記載の装置。
【請求項７】
前記第３の数は、前記第４の数と等しい、請求項１から３のいずれか一項に従属する請求項６に記載の装置。
【請求項８】
少なくとも１つのプロセッサと、コンピュータプログラムコードを含む少なくとも１つのメモリと、を備える装置であって、前記少なくとも１つのプロセッサは、前記少なくとも１つのメモリおよび前記コンピュータプログラムコードによって、前記装置に少なくとも、
サブフレームに対して、アップリンク送信を開始するための第１割り当てオプションと、前記アップリンク送信を開始するための第２割り当てオプションとを含むオプショングラントが、前記アップリンク送信に対して受信されたか確認することと、
前記第１割り当てオプションで前記アップリンク送信が許可されているかを判定することと、
前記オプショングラントが受信され、前記アップリンク送信が前記第１割り当てオプションで許可されている場合、前記第１割り当てオプションで前記アップリンク送信を開始することと、
前記第２割り当てオプションで前記アップリンク送信が許可されているかを判定することと、
前記オプショングラントが受信され、前記アップリンク送信が第１割り当てオプションで許可されておらず、前記アップリンク送信が前記第２割り当てオプションで許可されている場合、前記第２割り当てオプションで前記アップリンク送信を開始することと、
を実行させるように構成され、
前記サブフレーム内で、前記第２割り当てオプションよりも前記第１割り当てオプションが早い、装置。
【請求項９】
前記少なくとも１つのメモリおよび前記コンピュータプログラムコードは、前記装置にさらに、
前記第１割り当てオプションで前記アップリンク送信が許可されているかを判定することは、前記第１割り当てオプションで前記アップリンク送信用のリソースが空いている場合、前記第１割り当てオプションで前記アップリンク送信が許可されていると判定するように、前記第１割り当てオプションで前記アップリンク送信用の前記リソースが空いているか尋ねることと、
前記２割り当てオプションで前記アップリンク送信が許可されているかを判定することは、前記第２割り当てオプションで前記アップリンク送信用のリソースが空いている場合、前記第２割り当てオプションで前記アップリンク送信が許可されていると判定するように、前記第２割り当てオプションで前記アップリンク送信用の前記リソースが空いているか尋ねることと、
の少なくとも一方を実行させるように構成される、請求項８に記載の装置。
【請求項１０】
前記少なくとも１つのメモリおよび前記コンピュータプログラムコードは、前記装置にさらに、
前記アップリンク送信を制御する基地局が前記オプショングラントを提供しないことを示す標示が受信されたかを監視することと、
前記標示が受信された場合、前記オプショングラントが受信されたか確認することを禁じることと、
を実行させるように構成される、請求項８または９に記載の装置。
【請求項１１】
前記少なくとも１つのメモリおよび前記コンピュータプログラムコードは、前記装置にさらに、
前記第１割り当てオプションで前記アップリンク送信が開始する場合、前記サブフレームの前記アップリンク送信において、第１の数の情報ビットを、第１変調次数で送信することと、
前記第２割り当てオプションで前記アップリンク送信が開始する場合、前記サブフレームの前記アップリンク送信において、第２の数の情報ビットを、第２変調次数で送信することと、
を実行させるように構成され、
前記第２変調次数は、前記第１変調次数以上であり、
前記第２の数は、前記第１の数より小さい、
請求項８から１０のいずれか一項に記載の装置。
【請求項１２】
前記第１変調次数は、前記第２変調次数と等しい、請求項１１に記載の装置。
【請求項１３】
前記少なくとも１つのメモリおよび前記コンピュータプログラムコードは、前記装置にさらに、
前記第１割り当てオプションで前記アップリンク送信が開始する場合、第３の数の情報ビットの前記アップリンク送信を、第３変調次数で変調することと、
前記第２割り当てオプションで前記アップリンク送信が開始する場合、第４の数の情報ビットの前記アップリンク送信を、第４変調次数で変調することと、
を実行させるように構成され、
前記第４変調次数は、前記第３変調次数より大きく、
前記第４の数は、前記第３の数以下である、
請求項８から１１のいずれか一項に記載の装置。
【請求項１４】
前記第３の数は前記第４の数と等しい、請求項８から１０のいずれか一項に従属する請求項１３に記載の装置。
【請求項１５】
第１サブフレームに対して、第１アップリンク送信を開始するための第１割り当てオプションと、前記第１アップリンク送信を開始するための第２割り当てオプションとを含むオプショングラントにより、端末の前記第１アップリンク送信をスケジューリングすることと、
前記第１割り当てオプションで前記第１アップリンク送信が受信されたかを確認することと、
前記第１割り当てオプションで前記第１アップリンク送信が受信されない場合、前記第２割り当てオプションで前記第１アップリンク送信が受信されたかを確認することと、
前記第１割り当てオプションと前記第２割り当てオプションの一方で前記第１アップリンク送信が受信された場合に、前記第１アップリンク送信の処理を指示することと、を含み、
前記第１サブフレーム内で、前記第２割り当てオプションよりも前記第１割り当てオプションが早い、方法。
【請求項１６】
第２アップリンク送信を開始するための第３割り当てオプション１つのみを第２サブフレームに対して含む、非オプショングラントにより、前記端末の前記第２アップリンク送信をスケジューリングすることと、
前記第２アップリンク送信を受信させることと、
をさらに含む、請求項１５に記載の方法。
【請求項１７】
前記端末に、オプショングラントの送信に対応するシグナリング方式を使用して、前記第１アップリンク送信がスケジューリングされたことと、オプショングラントの送信に対応しないシグナリング方式を使用して、前記第２アップリンク送信がスケジューリングされたことの少なくとも一方を示すことをさらに含む、請求項１５または１６に記載の方法。
【請求項１８】
前記端末が前記第１割り当てオプションで前記第１アップリンク送信を送信する場合、前記端末に、前記第１アップリンク送信において、第１変調次数で変調された第１の数の情報ビットを送信するように指示することと、
前記端末が前記第２割り当てオプションで前記第１アップリンク送信を送信する場合、前記端末に、前記第１アップリンク送信において、第２変調次数で変調された第２の数の情報ビットを送信するように指示することと、
前記第１アップリンク送信が前記第１割り当てオプションで受信される場合、前記第１アップリンク送信で受信された前記第１の数の情報ビットを、前記第１変調次数で復調するように指示することと、
前記第１アップリンク送信が前記第２割り当てオプションで受信される場合、前記第１アップリンク送信で受信された前記第２の数の情報ビットを、前記第２変調次数で復調するように指示することと、をさらに含み、
前記第２変調次数は、前記第１変調次数以上であり、
前記第２の数は、前記第１の数より小さい、請求項１５から１７のいずれか一項に記載の方法。
【請求項１９】
前記第１変調次数は、前記第２変調次数と等しい、請求項１８に記載の方法。
【請求項２０】
前記端末が前記第１割り当てオプションで前記第１アップリンク送信を送信する場合、前記端末に、前記第１アップリンク送信において、第３変調次数で変調された第３の数の情報ビットを送信するように指示することと、
前記端末が前記第２割り当てオプションで前記第１アップリンク送信を送信する場合、前記端末に、前記第１アップリンク送信において、第４変調次数で変調された第４の数の情報ビットを送信するように指示することと、
前記第１アップリンク送信が前記第１割り当てオプションで受信される場合、前記第１アップリンク送信で受信された前記第３の数の情報ビットを、前記第３変調次数で復調するように指示することと、
前記第１アップリンク送信が前記第２割り当てオプションで受信される場合、前記第１アップリンク送信で受信された前記第４の数の情報ビットを、前記第４変調次数で復調するように指示することと、
をさらに含み、
前記第４変調次数は、前記第３変調次数より大きく、
前記第４の数は、前記第３の数よりも以下である、請求項１５から１８のいずれか一項に記載の方法。
【請求項２１】
前記第３の数は、前記第４の数と等しい、請求項１５から１７のいずれか一項に従属する請求項２０に記載の方法。
【請求項２２】
サブフレームに対して、アップリンク送信を開始するための第１割り当てオプションと、前記アップリンク送信を開始するための第２割り当てオプションとを含むオプショングラントが、アップリンク送信に対して受信されたか確認することと、
前記第１割り当てオプションで前記アップリンク送信が許可されているかを判定することと、
前記オプショングラントが受信され、前記アップリンク送信が前記第１割り当てオプションで許可されている場合、前記第１割り当てオプションで前記アップリンク送信を開始することと、
前記第２割り当てオプションで前記アップリンク送信が許可されているかを判定することと、
前記オプショングラントが受信され、前記アップリンク送信が第１割り当てオプションで許可されておらず、前記アップリンク送信が前記第２割り当てオプションで許可されている場合、前記第２割り当てオプションで前記アップリンク送信を開始することと、
を含み、
前記サブフレーム内で、前記第２割り当てオプションよりも前記第１割り当てオプションが早い、方法。
【請求項２３】
前記第１割り当てオプションで前記アップリンク送信が許可されているかを判定することは、前記第１割り当てオプションで前記アップリンク送信用のリソースが空いている場合、前記第１割り当てオプションで前記アップリンク送信が許可されていると判定するように、前記第１割り当てオプションで前記アップリンク送信用の前記リソースが空いているか尋ねることと、
前記２割り当てオプションで前記アップリンク送信が許可されているかを判定することは、前記第２割り当てオプションで前記アップリンク送信用のリソースが空いている場合、前記第２割り当てオプションで前記アップリンク送信が許可されていると判定するように、前記第２割り当てオプションで前記アップリンク送信用の前記リソースが空いているか尋ねることと、
をさらに含む請求項２２に記載の方法。
【請求項２４】
前記アップリンク送信を制御する基地局が前記オプショングラントを提供しないことを示す標示が受信されたかを監視することと、
前記標示が受信された場合、前記オプショングラントが受信されたか確認することを禁じることと、
をさらに含む請求項２２または２３に記載の方法。
【請求項２５】
前記第１割り当てオプションで前記アップリンク送信が開始する場合、前記サブフレームの前記アップリンク送信において、第１の数の情報ビットを、第１変調次数で送信することと、
前記第２割り当てオプションで前記アップリンク送信が開始する場合、前記サブフレームの前記アップリンク送信において、第２の数の情報ビットを、第２変調次数で送信することと、
をさらに含み、
前記第２変調次数は、前記第１変調次数以上であり、
前記第２の数は、前記第１の数より小さい、請求項２２から２４のいずれか一項に記載の方法。
【請求項２６】
前記第１変調次数は、前記第２変調次数と等しい、請求項２５に記載の方法。
【請求項２７】
前記第１割り当てオプションで前記アップリンク送信が開始する場合、第３の数の情報ビットの前記アップリンク送信を、第３変調次数で変調することと、
前記第２割り当てオプションで前記アップリンク送信が開始する場合、第４の数の情報ビットの前記アップリンク送信を、第４変調次数で変調することと、
をさらに含み、
前記第４変調次数は、前記第３変調次数より大きく、
前記第４の数は、前記第３の数以下である、請求項２２から２５のいずれか一項に記載の方法。
【請求項２８】
前記第３の数は、前記第４の数に等しい、請求項２２から２４のいずれか一項に従属する請求項２７に記載の方法。
【請求項２９】
装置で実行されると、前記装置に請求項１５から２８のいずれか一項に記載の方法を実行させるように構成された一連の指示を含む、コンピュータプログラム製品。
【請求項３０】
コンピュータ可読媒体として実施されるか、コンピュータに直接展開可能な、請求項２９に記載のコンピュータプログラム製品。
【発明の詳細な説明】
【技術分野】
【０００１】
本発明は、アップリンクスケジューリングに係る装置、方法、およびコンピュータプログラム製品に関する。特に、本発明は、例えばアンライセンス（免許不要）スペクトルにおけるアップリンクスケジューリングに係る装置、方法、およびコンピュータプログラム製品に関する。
略記について
【０００２】
３ＧＰＰ    （3rd Generation Partnership Project）第３世代パートナーシッププロジェクト
ＡＣＫ        （Acknowledgement）肯定応答
ＣＣＡ        （Clear Channel Assessment）クリアチャネル評価
ＤＣＩ        （Downlink Control Information）ダウンリンク制御情報
ＤＬ        （Downlink）ダウンリンク
ＤＭＲＳ    （DeModulation Reference Signal）復調参照信号
ｅＬＡＡ    （enhanced LAA）拡張ＬＡＡ
ｅＮＢ        （enhanced Node B）拡張ノードＢ
ＦＤＤ        （Frequency Division Duplexing）周波数分割複信
ｆｅＬＡＡ    （further enhancement LAA）さらに拡張版のＬＡＡ
ＦＳ        （Frame Structure type）フレーム構造タイプ
ＧＰＲＳ    （Generic Packet Radio Service）ジェネリックパケット無線サービス
ＨＡＲＱ    （Hybrid Automatic Retransmission request）ハイブリッド自動再送リクエスト
ＩＤ        （Identifier）識別子
ＬＡＡ        （Licensed Assisted Access）ライセンス補助アクセス
ＬＢＴ        （Listen before Talk）リッスンビフォアトーク方式
ＬＴＥ        （Long Term Evolution）ロングタームエボリューション
ＬＴＥ−Ａ    （LTE Advanced）ＬＴＥアドバンスト
ＭＣＳ        （Modulation and Coding Scheme）変調・符号化方式
ＮＡＣＫ    （Negative acknowledgement）否定応答
ＯＦＤＭ    （Orthogonal Frequency Division Multiplexing）直交周波数分割多重化
ＰＣｅｌｌ    （Primary Cell）プライマリセル
ＰＤＣＣＨ    （Physical Downlink Control Channel）物理ダウンリンク制御チャネル
ＰＤＳＣＨ    （Physical Downlink Shared Channel）物理ダウンリンク共有チャネル
ＰＲＢ        （Physical Resource Block）物理リソースブロック
ＰＵＣＣＨ    （Physical Uplink Control Channel）物理アップリンク制御チャネル
ＰＵＳＣＨ    （Physical Uplink Shared Channel）物理アップリンク共有チャネル
ＱＡＭ        （Quadrature Amplitude Modulation）直角位相振幅変調
ＱＰＳＫ    （Quadrature Phase Shift Keying）直角位相シフトキーイング
ＲＡＮ        （Radio Access Network）無線アクセスネットワーク
ＲＥ        （Resource Element）リソース要素
Ｒｅｌ        （Release）リリース
ＲＲＣ        （Radio Resource Control）無線リソース制御
ＲＶ        （Redundancy Version）反復バージョン
ＳＣｅｌｌ     （Secondary Cell）セカンダリセル
ＳＣ−ＦＤＭＡ    （Single Carrier Frequency Division Multiple Access）シングルキャリア周波数分割多元アクセス
ＳＦ        （Subframe）サブフレーム
ｓＰＤＳＣＨ    （short PDSCH）ショートＰＤＳＣＨ
ｓＰＵＣＣＨ    （short PUCCH）ショートＰＵＣＣＨ
ｓＰＵＳＣＨ    （short PUSCH）ショートＰＵＳＣＨ
ＳＲＳ        （Sounding Reference Signal）サウンディング参照信号
ｓＴＴＩ    （short Transmission Time Interval）短縮ＴＴＩ
ｓｙｍ        （symbol）シンボル
ＴＡ        （Timing Advance）タイミングアドバンス
ＴＢＳ        （Transport Block Size）伝送ブロックサイズ（ビット数で示す）
ＴＤＤ        （Time Division Duplexing）時分割二重
ＴＳ        （Technical Specification）技術仕様書
ＴＴＩ        （Transmission Time Interval）送信時間間隔
ＵＣＩ        （Uplink Control Information）アップリンク制御情報
ＵＥ        （User Equipment）ユーザ機器
ＵＬ        （Uplink）アップリンク
ＵｐＰＴＳ    （Uplink Pilot Time Slot）アップリンクパイロットタイムスロット
ＷＧ        （Working Group）ワーキンググループ
ＷｉＦｉ    （Wireless Fidelity）ＷｉＦｉ
【背景】
【０００３】
ＬＴＥ−Ａｄｖａｎｃｅｄ  Ｐｒｏシステムは、３ＧＰＰ  ＬＴＥ  Ｒｅｌ−１５の一部となるもので、アンライセンスキャリアのＬＴＥ動作を含む。Ｒｅｌ−１５の作業項目「アンライセンススペクトルにおけるＬＴＥ動作の向上」が２０１７年３月に合意され、３ＧＰＰ  ＲＰ−１７０８３５に定義されている。
【０００４】
この作業項目の主要な目的を以下に挙げる。
・フレーム構造タイプ３によるＳＣｅｌｌのＵＬおよびＤＬに対して、サブフレーム内の複数の開始および終了位置の対応を特定。（ＲＡＮ１，ＲＡＮ２，ＲＡＮ４）
・（ＲＡＮ１＃９０で開始）：Ｌ２レイテンシ低減作業項目からのソリューションを考慮して、フレーム構造タイプ３による自律的アップリンクアクセスに対する対応を研究し、必要に応じて特定。（ＲＡＮ１，ＲＡＮ２，ＲＡＮ４）
【０００５】
作業項目「アンライセンススペクトルにおけるＬＴＥ動作の向上」は、ライセンス補助アクセスのみを対象とする。すなわち、キャリアアグリゲーションにおけるプライマリセル（ＰＣｅｌｌ）が、アンライセンススペクトルにおいて１つまたは複数のＬＡＡセカンダリセル（ＳＣｅｌｌ）とアグリゲートされた、ライセンススペクトルに配置される必要がある。
【０００６】
アンライセンススペクトルにおけるＬＴＥスタンドアロン動作は、ｅＮｏｄｅＢ／ＵＥエアインタフェースが、ライセンススペクトルのキャリアなしで、アンライセンススペクトルのみに依存することを意味する。アンライセンスキャリアでのネットワークのスタンドアロン動作に対応するＬＴＥ関連技術は、現在、ＭｕｌｔｅＦｉｒｅアライアンスにより開発中である。
【０００７】
ＬＴＥにおいて、情報ビットのＵＬ送信は、ＰＵＳＣＨにおいて実行される。サブフレームにおいて時間分割され、各サブフレームは、１４個のシンボル（ｓｙｍ＃０からｓｙｍ＃１３）を含む。各サブフレームは、２つのスロットを含み、各スロットは、７個のシンボルを含む（ｓｙｍ＃０からｓｙｍ＃６がスロット＃０に含まれ、ｓｙｍ＃７からｓｙｍ＃１３がスロット＃１に含まれる）。各スロットの１つのシンボルは、参照信号を含む。さらに、Ａｃｋ／Ｎａｃｋや、ランクインジケータ（ＲＩ）、セル品質インジケータ（ＣＱＩ）、プリコーディングマトリクスインジケータ（ＰＭＩ）等の、制御用のシンボルを含んでもよい。サブフレームのその他のシンボルは、ペイロード（情報ビット）を伝達するために使用されてもよい。したがって、制御データとペイロードデータが各スロット内で多重化される。
【０００８】
従来のＬＴＥ（ライセンスバンド動作、ＦＤＤ）では、ＵＬ送信は必ずサブフレーム境界で開始する。ＬＴＥ  ＴＤＤ（すなわち、フレーム構造タイプ２）については、特殊サブフレームのＵｐＰＴＳ部分における、ＵＬ送信への対応もＲｅｌ−１４で導入された。このような場合、特徴が有効となるとともに、ＵＥに対してＵＬ開始位置（ＵｐＴＰＳ長で定義される）が半固定的に示されるまたは構成される。
【０００９】
ＬＴＥアンライセンスバンド動作（ライセンス補助アクセス（ＬＡＡ））の場合、Ｒｅｌ−１４  ｅＬＡＡ  ＵＬ送信の開始点は、サブフレームの開始と、サブフレームの第２のＳＣ−ＦＤＭＡシンボルの間で変動しうる。４つの異なる開始点に対応し、その内の任意のものが、表１に示すようにＵＬ  ＤＣＩフォーマット０Ａ／０Ｂ／４Ａ／４Ｂに含まれる２ビットフィールドにより、ＵＥに対して示されうる。
【００１０】
表１：ｅＬＡＡ  ＰＵＳＣＨ開始位置（３ＧＰＰ  ＴＳ  ３６．２１２、ｖ．１４．０．０、表５．３．３．１．１Ａ−１より抜粋）
2020511882.tif 000003
【００１１】
同様に、主にＳＲＳ送信用に容量を確保するため、ＰＵＳＣＨ送信がサブフレームの終端（シンボル＃１３後）で終了すべきか、あるいは１つ前のシンボル（シンボル＃１２）で終了すべきかを、ＵＬグラント内の１ビットで示すこともできる。
【００１２】
Ｒｅｌ−１４  ｅＬＡＡにおけるＵＬ開始点は、表１に示すものに限定され、送信はサブフレームの最後または最後から２番目のシンボル後に終了する。所与のサブフレーム／ＴＴＩに対して、ＵＥはＵＬグラントを１つのみ有することができる。
【００１３】
アンライセンススペクトルでのＬＴＥ動作についての、主要設計目的の一つとして、他の無線ノードおよび技術（特にＷｉＦｉ）との適切な共存である。したがって、ＬＴＥに適用されるチャネルアクセス処理（すなわち、リッスンビフォアトーク）はＷｉＦｉと実質的に同じである。このため、少なくとも比較的大量のデータが送信される場合に、ＷｉＦｉとの適切な共存が図られるのである。しかし、小さなデータパケットの場合、（略）１ミリ秒の最小送信期間は、ＵＥが、場合によっては、同様の量のデータを送信するＷｉＦｉノードよりも長い間、動作チャネルを使用することを意味する。
【００１４】
さらに、自律的（すなわちグラントのない、または半固定的にスケジューリングされた）ＵＬ送信が、現在ＭｕｌｔｅＦｉｒｅ  Ａｌｌｉａｎｃｅアライアンスで研究されており、また３ＧＰＰの作業項目「アンライセンススペクトルにおけるＬＴＥ動作の向上」（Ｒｅｌ．１５）の一部でもある。自律的ＵＬ動作において、ＵＬ送信の開始点が、サブフレーム（１ミリ秒間隔）の開始のみに限定されていることは、例えばＷｉＦｉと比較して、チャネルにアクセスする機会が減ることを意味する。これらの理由により、ＬＡＡ  ＳＣｅｌｌにおいて、サブフレームの複数のＵＬ開始点に対応する必要がある。
【００１５】
サブフレームで複数のＵＬ開始点に対する対応を特定するための１つの方法として、ＬＴＥ  ＬＡＡ／フレーム構造タイプ３も網羅できるように（現状、作業はＬＴＥ  ＦＤＤ／ＦＳ１およびＬＴＥ  ＴＤＤ／ＦＳ２のみを検討している）、ショートＴＴＩ（ｓＴＴＩ）の対応を拡張することが考えられる。しかし、アンライセンスキャリアでｓＴＴＩ対応を可能にするのは容易ではない。例えば、ＵＥがごく短い送信には容易に同期できない可能性がある。さらに、ＤＬの最短ｓＴＴＩ長さ（シンボル２、３個分）は、共通参照信号を持たない可能性もある。ＵＬにおいては、参照信号のオーバヘッドは、容易に過剰となりうる。
【００１６】
ショートＴＴＩは、ＬＴＥレイテンシ低減作業の一部と考えられており、原則的にサブフレーム境界と異なるシンボルの送信開始／終了と同様の機能を実現しうる。ただし、これにはＬＴＥエアインタフェースに対して大きな変更を必要とし、アンライセンススペクトルのより効率的利用という単純な目的を前に、推進されるものではない。それでも、長さを７シンボル／スロットとしたｓＴＴＩ設計のＵＬ構造は、ＭｕｌｔｅＦｉｒｅ／さらに拡張版のＬＡＡに対して、部分的ＵＬサブフレームの物理層構造の実現に使用されうる。
【摘要】
【００１７】
本発明の目的は、従来の技術を改良することである。
【００１８】
本発明の第１態様は、少なくとも１つのプロセッサと、コンピュータプログラムコードを含む少なくとも１つのメモリと、を備える装置を提供する。前記少なくとも１つのプロセッサは、前記少なくとも１つのメモリおよび前記コンピュータプログラムコードによって、前記装置に少なくとも、第１サブフレームに対して、第１アップリンク送信を開始するための第１割り当てオプションと、前記第１アップリンク送信を開始するための第２割り当てオプションとを含むオプショングラントにより、端末の前記第１アップリンク送信をスケジューリングすることと、前記第１割り当てオプションで前記第１アップリンク送信が受信されたかを確認することと、前記第１割り当てオプションで前記第１アップリンク送信が受信されない場合、前記第２割り当てオプションで前記第１アップリンク送信が受信されたかを確認することと、前記第１割り当てオプションと前記第２割り当てオプションの一方で前記第１アップリンク送信が受信された場合に、前記第１アップリンク送信の処理を指示することと、を実行させるように構成され、前記第１サブフレーム内で、前記第２割り当てオプションよりも前記第１割り当てオプションが早い。
【００１９】
前記少なくとも１つのメモリおよび前記コンピュータプログラムコードは、前記装置にさらに、第２アップリンク送信を開始するための第３割り当てオプション１つのみを第２サブフレームに対して含む、非オプショングラントにより、前記端末の前記第２アップリンク送信をスケジューリングすることと、前記第２アップリンク送信を受信させることと、を実行させるように構成されてもよい。
【００２０】
前記少なくとも１つのメモリおよび前記コンピュータプログラムコードは、前記装置にさらに、前記端末に、オプショングラントの送信に対応するシグナリング方式を使用して、前記第１アップリンク送信がスケジューリングされたことと、オプショングラントの送信に対応しないシグナリング方式を使用して、前記第２アップリンク送信がスケジューリングされたことの少なくとも一方を示すことを実行させるように構成されてもよい。
【００２１】
前記少なくとも１つのメモリおよび前記コンピュータプログラムコードは、前記装置にさらに、前記端末が前記第１割り当てオプションで前記第１アップリンク送信を送信する場合、前記端末に、前記第１アップリンク送信において、第１変調次数で変調された第１の数の情報ビットを送信するように指示することと、前記端末が前記第２割り当てオプションで前記第１アップリンク送信を送信する場合、前記端末に、前記第１アップリンク送信において、第２変調次数で変調された第２の数の情報ビットを送信するように指示することと、前記第１アップリンク送信が前記第１割り当てオプションで受信される場合、前記第１アップリンク送信で受信された前記第１の数の情報ビットを、前記第１変調次数で復調するように指示することと、前記第１アップリンク送信が前記第２割り当てオプションで受信される場合、前記第１アップリンク送信で受信された前記第２の数の情報ビットを、前記第２変調次数で復調するように指示することと、を実行させるように構成されてもよく、前記第２変調次数は、前記第１変調次数以上であってもよく、前記第２の数は、前記第１の数より小さくてもよい。前記第１変調次数は、前記第２変調次数と等しくてもよい。
【００２２】
前記少なくとも１つのメモリおよび前記コンピュータプログラムコードは、前記装置にさらに、前記端末が前記第１割り当てオプションで前記第１アップリンク送信を送信する場合、前記端末に、前記第１アップリンク送信において、第３変調次数で変調された第３の数の情報ビットを送信するように指示することと、前記端末が前記第２割り当てオプションで前記第１アップリンク送信を送信する場合、前記端末に、前記第１アップリンク送信において、第４変調次数で変調された第４の数の情報ビットを送信するように指示することと、前記第１アップリンク送信が前記第１割り当てオプションで受信される場合、前記第１アップリンク送信で受信された前記第３の数の情報ビットを、前記第３変調次数で復調するように指示することと、前記第１アップリンク送信が前記第２割り当てオプションで受信される場合、前記第１アップリンク送信で受信された前記第４の数の情報ビットを、前記第４変調次数で復調するように指示することと、を実行させるように構成されてもよく、前記第４変調次数は、前記第３変調次数より大きくてもよく、前記第４の数は、前記第３の数よりも以下であってもよい。前記第３の数は、前記第４の数と等しくてもよい。
【００２３】
本発明の第２態様は、少なくとも１つのプロセッサと、コンピュータプログラムコードを含む少なくとも１つのメモリと、を備える装置を提供する。前記少なくとも１つのプロセッサは、前記少なくとも１つのメモリおよび前記コンピュータプログラムコードによって、前記装置に少なくとも、サブフレームに対して、アップリンク送信を開始するための第１割り当てオプションと、前記アップリンク送信を開始するための第２割り当てオプションとを含むオプショングラントが、前記アップリンク送信に対して受信されたか確認することと、前記第１割り当てオプションで前記アップリンク送信が許可されているかを判定することと、前記オプショングラントが受信され、前記アップリンク送信が前記第１割り当てオプションで許可されている場合、前記第１割り当てオプションで前記アップリンク送信を開始することと、前記第２割り当てオプションで前記アップリンク送信が許可されているかを判定することと、前記オプショングラントが受信され、前記アップリンク送信が第１割り当てオプションで許可されておらず、前記アップリンク送信が前記第２割り当てオプションで許可されている場合、前記第２割り当てオプションで前記アップリンク送信を開始することと、を実行させるように構成され、前記サブフレーム内で、前記第２割り当てオプションよりも前記第１割り当てオプションが早い。
【００２４】
前記少なくとも１つのメモリおよび前記コンピュータプログラムコードは、前記装置にさらに、前記第１割り当てオプションで前記アップリンク送信が許可されているかを判定することは、前記第１割り当てオプションで前記アップリンク送信用のリソースが空いている場合、前記第１割り当てオプションで前記アップリンク送信が許可されていると判定するように、前記第１割り当てオプションで前記アップリンク送信用の前記リソースが空いているか尋ねることと、前記２割り当てオプションで前記アップリンク送信が許可されているかを判定することは、前記第２割り当てオプションで前記アップリンク送信用のリソースが空いている場合、前記第２割り当てオプションで前記アップリンク送信が許可されていると判定するように、前記第２割り当てオプションで前記アップリンク送信用の前記リソースが空いているか尋ねることと、の少なくとも一方を実行させるように構成されてもよい。
【００２５】
前記少なくとも１つのメモリおよび前記コンピュータプログラムコードは、前記装置にさらに、前記アップリンク送信を制御する基地局が前記オプショングラントを提供しないことを示す標示が受信されたかを監視することと、前記標示が受信された場合、前記オプショングラントが受信されたか確認することを禁じることと、を実行させるように構成されてもよい。
【００２６】
前記少なくとも１つのメモリおよび前記コンピュータプログラムコードは、前記装置にさらに、前記第１割り当てオプションで前記アップリンク送信が開始する場合、前記サブフレームの前記アップリンク送信において、第１の数の情報ビットを、第１変調次数で送信することと、前記第２割り当てオプションで前記アップリンク送信が開始する場合、前記サブフレームの前記アップリンク送信において、第２の数の情報ビットを、第２変調次数で送信することと、を実行させるように構成されてもよく、前記第２変調次数は、前記第１変調次数以上であってもよく、前記第２の数は、前記第１の数より小さくてもよい。前記第１変調次数は、前記第２変調次数と等しくてもよい。
【００２７】
前記少なくとも１つのメモリおよび前記コンピュータプログラムコードは、前記装置にさらに、前記第１割り当てオプションで前記アップリンク送信が開始する場合、第３の数の情報ビットの前記アップリンク送信を、第３変調次数で変調することと、前記第２割り当てオプションで前記アップリンク送信が開始する場合、第４の数の情報ビットの前記アップリンク送信を、第４変調次数で変調することと、を実行させるように構成されてもよく、前記第４変調次数は、前記第３変調次数より大きく、前記第４の数は、前記第３の数以下であってもよい。前記第３の数は前記第４の数と等しくてもよい。
【００２８】
本発明の第３態様は、方法を提供する。当該方法は、第１サブフレームに対して、第１アップリンク送信を開始するための第１割り当てオプションと、前記第１アップリンク送信を開始するための第２割り当てオプションとを含むオプショングラントにより、端末の前記第１アップリンク送信をスケジューリングすることと、前記第１割り当てオプションで前記第１アップリンク送信が受信されたかを確認することと、前記第１割り当てオプションで前記第１アップリンク送信が受信されない場合、前記第２割り当てオプションで前記第１アップリンク送信が受信されたかを確認することと、前記第１割り当てオプションと前記第２割り当てオプションの一方で前記第１アップリンク送信が受信された場合に、前記第１アップリンク送信の処理を指示することと、を含み、前記第１サブフレーム内で、前記第２割り当てオプションよりも前記第１割り当てオプションが早い。
【００２９】
前記方法は、第２アップリンク送信を開始するための第３割り当てオプション１つのみを第２サブフレームに対して含む、非オプショングラントにより、前記端末の前記第２アップリンク送信をスケジューリングすることと、前記第２アップリンク送信を受信させることと、をさらに含んでもよい。
【００３０】
前記方法は、前記端末に、オプショングラントの送信に対応するシグナリング方式を使用して、前記第１アップリンク送信がスケジューリングされたことと、オプショングラントの送信に対応しないシグナリング方式を使用して、前記第２アップリンク送信がスケジューリングされたことの少なくとも一方を示すことをさらに含んでもよい。
【００３１】
前記方法は、前記端末が前記第１割り当てオプションで前記第１アップリンク送信を送信する場合、前記端末に、前記第１アップリンク送信において、第１変調次数で変調された第１の数の情報ビットを送信するように指示することと、前記端末が前記第２割り当てオプションで前記第１アップリンク送信を送信する場合、前記端末に、前記第１アップリンク送信において、第２変調次数で変調された第２の数の情報ビットを送信するように指示することと、前記第１アップリンク送信が前記第１割り当てオプションで受信される場合、前記第１アップリンク送信で受信された前記第１の数の情報ビットを、前記第１変調次数で復調するように指示することと、前記第１アップリンク送信が前記第２割り当てオプションで受信される場合、前記第１アップリンク送信で受信された前記第２の数の情報ビットを、前記第２変調次数で復調するように指示することと、をさらに含んでもよく、前記第２変調次数は、前記第１変調次数以上であってもよく、前記第２の数は、前記第１の数より小さくてもよい。前記第１変調次数は、前記第２変調次数と等しくてもよい。
【００３２】
前記方法は、前記端末が前記第１割り当てオプションで前記第１アップリンク送信を送信する場合、前記端末に、前記第１アップリンク送信において、第３変調次数で変調された第３の数の情報ビットを送信するように指示することと、前記端末が前記第２割り当てオプションで前記第１アップリンク送信を送信する場合、前記端末に、前記第１アップリンク送信において、第４変調次数で変調された第４の数の情報ビットを送信するように指示することと、前記第１アップリンク送信が前記第１割り当てオプションで受信される場合、前記第１アップリンク送信で受信された前記第３の数の情報ビットを、前記第３変調次数で復調するように指示することと、前記第１アップリンク送信が前記第２割り当てオプションで受信される場合、前記第１アップリンク送信で受信された前記第４の数の情報ビットを、前記第４変調次数で復調するように指示することと、をさらに含んでもよく、前記第４変調次数は、前記第３変調次数より大きくてもよく、前記第４の数は、前記第３の数よりも以下であってもよい。前記第３の数は、前記第４の数と等しくてもよい。
【００３３】
本発明の第４態様は、方法を提供する。当該方法は、サブフレームに対して、アップリンク送信を開始するための第１割り当てオプションと、前記アップリンク送信を開始するための第２割り当てオプションとを含むオプショングラントが、アップリンク送信に対して受信されたか確認することと、前記第１割り当てオプションで前記アップリンク送信が許可されているかを判定することと、前記オプショングラントが受信され、前記アップリンク送信が前記第１割り当てオプションで許可されている場合、前記第１割り当てオプションで前記アップリンク送信を開始することと、前記第２割り当てオプションで前記アップリンク送信が許可されているかを判定することと、前記オプショングラントが受信され、前記アップリンク送信が第１割り当てオプションで許可されておらず、前記アップリンク送信が前記第２割り当てオプションで許可されている場合、前記第２割り当てオプションで前記アップリンク送信を開始することと、を含み、前記サブフレーム内で、前記第２割り当てオプションよりも前記第１割り当てオプションが早い。
【００３４】
前記方法は、前記第１割り当てオプションで前記アップリンク送信が許可されているかを判定することは、前記第１割り当てオプションで前記アップリンク送信用のリソースが空いている場合、前記第１割り当てオプションで前記アップリンク送信が許可されていると判定するように、前記第１割り当てオプションで前記アップリンク送信用の前記リソースが空いているか尋ねることと、前記２割り当てオプションで前記アップリンク送信が許可されているかを判定することは、前記第２割り当てオプションで前記アップリンク送信用のリソースが空いている場合、前記第２割り当てオプションで前記アップリンク送信が許可されていると判定するように、前記第２割り当てオプションで前記アップリンク送信用の前記リソースが空いているか尋ねることと、をさらに含んでもよい。
【００３５】
前記方法は、前記アップリンク送信を制御する基地局が前記オプショングラントを提供しないことを示す標示が受信されたかを監視することと、前記標示が受信された場合、前記オプショングラントが受信されたか確認することを禁じることと、をさらに含んでもよい。
【００３６】
前記方法は、前記第１割り当てオプションで前記アップリンク送信が開始する場合、前記サブフレームの前記アップリンク送信において、第１の数の情報ビットを、第１変調次数で送信することと、前記第２割り当てオプションで前記アップリンク送信が開始する場合、前記サブフレームの前記アップリンク送信において、第２の数の情報ビットを、第２変調次数で送信することと、をさらに含んでもよく、前記第２変調次数は、前記第１変調次数以上であってもよく、前記第２の数は、前記第１の数より小さくてもよい。前記第１変調次数は、前記第２変調次数と等しくてもよい。
【００３７】
前記方法は、前記第１割り当てオプションで前記アップリンク送信が開始する場合、第３の数の情報ビットの前記アップリンク送信を、第３変調次数で変調することと、前記第２割り当てオプションで前記アップリンク送信が開始する場合、第４の数の情報ビットの前記アップリンク送信を、第４変調次数で変調することと、をさらに含んでもよく、前記第４変調次数は、前記第３変調次数より大きくてもよく、前記第４の数は、前記第３の数以下であってもよい。前記第３の数は、前記第４の数に等しくてもよい。
【００３８】
第３および第４態様の前記方法は、アップリンク割り当て方法であってもよい。
【００３９】
本発明の第５態様は、装置で実行されると、前記装置に第３および第４態様のいずれかに記載の方法を実行させるように構成された一連の指示を含む、コンピュータプログラム製品を提供する。前記コンピュータプログラム製品は、コンピュータ可読媒体として実施されてもよく、コンピュータに直接展開可能であってもよい。
【００４０】
本発明のいくつかの実施形態によると、以下の利点の少なくとも１つが実現されうる。
・ＵＥが、サブフレーム内のアップリンク送信について、複数の割り当てオプションを持ちうることで、特にアンライセンススペクトルにおけるスペクトル効率向上が図られる。
・少量のデータのみが送信される必要である場合に、送信期間が極めて短くできるため、アンライセンススペクトルで動作する、別のデバイスまたはアクセスポイントへの干渉が最小限に抑えられる。
・システム複雑性が低く抑えられる。
【００４１】
上述のいずれの変形例も、例外はないと記載されていない限り、それぞれ単独で、または組み合わせて、対応するそれぞれの態様に適用可能である。
【図面の簡単な説明】
【００４２】
さらなる詳細、特徴、目的、および効果は、以下の添付の図面を参照して本発明の好適な実施形態についての以下の詳細な説明を読むことによって明らかになる。
【図１】図１は、本発明の実施形態に係る装置を示す。
【図２】図２は、本発明の実施形態に係る方法を示す。
【図３】図３は、本発明の実施形態に係る装置を示す。
【図４】図４は、本発明の実施形態に係る方法を示す。
【図５】図５は、本発明の実施形態に係る装置を示す。
【実施例の詳細説明】
【００４３】
以下、本発明の実施形態を添付の図面を参照して詳細に説明する。実施形態の特徴は、別途記載のない限り、自由に組み合わせることができる。ただし、実施形態は例示のためのみに記載されており、本発明を開示された詳細に限定するように理解されるよう意図されていないことは明らかに理解されることである。
【００４４】
さらに、装置のみ、または方法のみが記載されている場合もあるが、装置は対応する方法を実施するよう構成されていることが理解されよう。
【００４５】
本発明の一部の実施形態は、自律的ＵＬアクセス（アンライセンススペクトルにおけるＬＴＥオペレーションに対する作業項目拡張の第２の主目的）や、リッスンビフォアトーク手順を実施する必要がある等の規制上の要件を考慮しつつ、ＵＥに対する複数のアップリンク開始位置または終了位置を示すための手法を提供する。特に、本発明の一部の実施形態は、サブフレームの途中でＵＬ送信を開始および／または終了し、これによってアンライセンススペクトルで動作している他のノードに対する干渉を減らし、チャネルにアクセスできる可能性を高めるための手法を提供する。
【００４６】
用語
以下の説明には、次の用語が使用される。
・部分開始サブフレーム：送信が、ＳＣ−ＦＤＭＡシンボル＃０、例えば第２スロットの開始（すなわち、サブフレームのシンボル＃７）の後で開始するサブフレーム。
・部分終了サブフレーム：送信が、ＳＣ−ＦＤＭＡシンボル＃１３、例えば第１スロットの後（すなわち、サブフレームのシンボル＃６の後）で終了するサブフレーム。
・部分サブフレーム：部分開始サブフレームおよび部分終了サブフレームの少なくとも１つであるサブフレーム。
【００４７】
本発明のいくつかの実施形態は、部分開始（例えばスロット＃１中に開始）および終了ＵＬサブフレーム（例えばスロット＃０中に終了）に対するシグナリング対応を実現する。具体的には、本発明のいくつかの実施形態によると、ｅＮＢは、ＵＥに対して条件付きでＵＬリソースを付与する。すなわち、１つのＵＬグラントは、同一のサブフレームやＴＴＩ中でも、２つ以上の異なる開始点（２つ以上の異なる終了点もありうる）を持つＵＥリソースを示しうるが、ＵＥは、これらの１つのみを使用して送信を行いうる。例えば、ＬＢＴ動作の結果に基づいて、ＵＥはどれを使用するかを選択できる。このようなグラントは、「オプショングラント」と称される。一方、送信の開始点と終了点を固定的に定義するグラントは、「非オプショングラント」と称される。
【００４８】
いくつかの実施形態では、ＵＬグラント（ＵＬ  ＤＣＩフォーマット０Ａ／４ａ）内に、１つの追加ビットが加えられ、これにより、ＵＬ開始および終了シンボルに対するＲｅｌ−１４ビットフィールドが、異なって解釈されるべきであることが示される。この原理を、表２ａおよび２ｂに示す。表２ａ（左側）は、Ｒｅｌ．１４  ＬＴＥ  ＬＡＡ挙動を示す。この種のアップリンクグラント（非オプショングラント）のみが使用されうる場合（Ｒｅｌ．１４  ＬＴＥ  ＬＡＡ挙動）、追加ビットは０に設定される。一方、表２ｂ（右側）は、本発明のいくつかの実施形態に係る、対応する状態表を示す。ここでは、ＤＣＩにおける追加ビットは「１」に設定される。これは、ＵＬグラントが「オプショングラント」でありうることを示す。表３の例では、状態１１０および１１１は、オプショングラントを示す。
【００４９】
表２：アップリンクグラントの状態表：（ａ）ＬＴＥ  ＬＡＡ  Ｒｅｌ．１４挙動、（ｂ）本発明のいくつかの実施形態に係る例示的シグナリング手法
2020511882.tif 000004
【００５０】
表２ｂの例では、状態「１１０」はＵＥに２つの部分サブフレームを与えるが（すなわち状態０００、または状態１０１）、ＵＥは、それらの１つのみが送信用に許可される。状態「１１１」はＵＥに対して完全なサブフレームまたは部分開始サブフレーム（状態１０１）の一方を与えるものである。ＵＥはそれら１つのみを送信用に使用可能である。すなわち、状態１１０および１１１はオプショングラントを示す。
【００５１】
ＵＬグラントが、サブフレームにおいて、複数のＵＬ（部分）サブフレーム割り当てオプションに対して条件的リソースのみを与える場合（すなわち、グラントがオプショングラントである場合）、一実施形態では、リソース割り当て、ＭＣＳ／ＴＢＳ、ＨＡＲＱプロセスＩＤ、冗長バージョンのような送信パラメータが、両割り当てオプションで共通となる。
【００５２】
表２の例からわかるように、Ｒｅｌ．１４におけるＵＬサブフレーム（すなわち１ミリ秒）スケジューリング粒度（表２ａ）と、例えばさらに向上したＬＴＥ  ＬＡＡ／ＭｕｌｔｅＦｉｒｅ（表２ｂ）に対するＵＬ部分開始および／または部分終了サブフレームのスケジューリングを可能にする新たなスケジューリング挙動に対する例とにおいて、基本的には同じビット数（すなわち合計３ビット）が使用される。したがって、本発明のいくつかの実施形態によると、ＵＬ  ＤＣＩに対して、１つの追加１ビット区別用フラグが追加されて、Ｒｅｌ．１４  ＬＥＴ  ｅＬＡＡが、本発明のいくつかの実施形態に係る新たな挙動と区別される。
【００５３】
いくつかの実施形態では、リソース割り当てオプション（時間／シンボル領域における）は、重複していてもよい。その一例が、表２ｂの状態「１１１」である。一例として、ｅＮｏｄｅＢは例えば以下をＵＥに割り当ててもよい。
・例えばシンボル＃０またはシンボル＃１から開始し、シンボル＃１２またはシンボル＃１３の後で終了するＲｅｌ．１４  ｅＬＡＡ  ＵＬサブフレーム。表２ｂ、状態１１１は、シンボル＃０で開始し、シンボル＃１３で終了する例を示す。
・シンボル＃７から開始する部分開始サブフレーム。
先述のように、ＵＥは、２つの割り当てオプションの内、１つのみが許可される。例えば、部分開始サブフレームは、例えば動作チャネルがビジーの場合等に、ＵＥが完全なサブフレームを送信できない場合にのみ送信される。
【００５４】
より詳細には、本発明のいくつかの実施形態によると、ｅＮＢは以下のとおりに動作してもよい。
１．ＵＥを新たな挙動のＵＬ送信用に設定する。すなわち、オプショングラントが付与されうることをＵＥにしらせる。
・これは、例えば追加ビットを関連するＵＬ  ＤＣＩフォーマットに含めて、ＰＵＳＣＨ開始および終了シンボルを示すＲｅｌ−１４の標示と、表２ｂに示す新たな挙動とを区別することを含む。
・この設定は、ＲＲＣシグナリングを使用して実行されることが好ましい。
２．ＵＬグラントで、ＰＵＳＣＨ送信用にＵＥのスケジューリングを行う。
・ＵＬグラントは、各サブフレームでシグナリングされるようにダイナミックであるか、より長い期間（例えば、ｎ番目のサブフレーム毎）で有効な、半固定的グラントであってもよい。
・スケジューリンググラントは、送信が許可される前に、ＵＥがどの種のリッスンビフォアトークまたはチャネルアクセス手順を実行するべきかについての指標を含んでもよい。
・ＵＬグラントにおける１つのビットが、以下のもの同士を区別する。
・ＵＬソース割り当てが、Ｒｅｌ−１４のように適用される（すなわち、リソースが完全なサブフレームまたは少なくとも１２個のＳＣ−ＦＤＭＡシンボルに付与される）。
あるいは
・ＵＬソース割り当てが、新しいリソース挙動に従う。その場合、３ビットタイミング指標が以下のいずれかを定義する。
・送信用にＵＬ部分開始ＳＦが設定される（例えば、表２ｂのコードポイント「１００」を使用し非オプショングラント）。または
・送信用にＵＬ部分終了ＳＦが設定（例えば、表２ｂのコードポイント「０００」を使用し非オプショングラント）される。または
・送信の少なくとも２つの可能な開始点および／または少なくとも２つの可能な終了点が設定される（オプショングラント）。少なくとも１つの可能な開始点の使用は、明確なチャネル評価手順（リッスンビフォアトーク手順等）の結果に従ってもよい。そのようなオプショングラントでは、
・送信の第１開始点は、ＵＬ部分終了サブフレームにより定義されてもよく（例えば、オプショングラントに、表２ｂのコードポイント「１１０」が使用される場合）、Ｒｅｌ．１４  ｅＬＡＡ  ＵＬ  サブフレームにより定義されてもよい（例えば、オプショングラントに、表２ｂのコードポイント「１１１」が使用される場合）、
・送信の第２開始点は、ＵＬ部分開始サブフレームにより定義されてもよく（例えば、オプショングラントに、表２ｂのコードポイント「１１０」が使用される場合、表２ｂのコードポイント「１０１」に応じたＵＬ部分開始サブフレームとなる）。
３．スケジューリング判定と、ＵＥに対してＵＬグラントで提供された情報に応じて、ＵＥからＰＵＳＣＨ送信を受信する。
・完全なサブフレームのみがスケジューリングされる場合（すなわち、従来のＲｅｌ．１４区別ビットが０に設定）、ｅＮＢは、Ｒｅｌ．１４  ｅＬＡＡ  ＵＬ  サブフレーム（少なくとも１２個のシンボルのＰＵＳＣＨ送信）を受信しようとする。
・部分終了サブフレームがスケジューリングされる場合（区別用ビットが１に設定される。例えば、表２ｂの状態０００から０１１）、ｅＮＢは定義されたＰＵＳＣＨ開始（状態０００から０１１による）に応じて、スロット＃０内のＰＵＳＣＨ送信を特定、復号しようとする。
・ＵＬ部分開始サブフレームがスケジューリングされる場合（区別用ビットが１に設定される。例えば、表２ｂの状態１００または１０１）、ｅＮＢは定義されたＰＵＳＣＨ終了（状態１００または１０１による）に応じて、スロット＃１内のＰＵＳＣＨ部分終了サブフレーム送信を特定、復号しようとする。
・オプショングラントにより、２つの割り当てオプション（例えば、部分開始または部分終了サブフレーム、あるいは完全サブフレームおよび部分サブフレームのいずれか）がスケジューリングされる場合（区別用ビットが１に設定される。例えば、表２ｂの状態１１０または１１１）、ｅＮＢは最初にＵＥによるＰＵＳＣＨが第１割り当てオプション内に存在するか確認する。これが特定されている場合、第１割り当てオプションに応じてＰＵＳＣＨの復号を試みる。第１割り当てオプションに対するＰＵＳＣＨが、例えばスロット＃０において特定されていない場合、ＵＥは第２割り当てオプション（すなわち、部分開始サブフレーム）に応じてＵＥのＰＵＳＣＨ送信の存在の特定を試みて、特定されると、第２割り当てオプションに応じてＰＵＳＣＨの復号を試みる。
【００５５】
より詳細には、本発明のいくつかの実施形態によると、ＵＥは以下のように動作してもよい。
１．例えばＲＲＣシグナリングを通じて、オプショングラントにより部分開始および部分終了動作についての設定情報を受信。
２．さらに拡張されたＬＴＥ  ＬＡＡ／ＭｕｌｔｅＦｉｒｅ  ＵＬグラントについて、ＤＬ制御チャネルで監視。
・Ｒｅｌ．１４と比較して、ＵＬグラントのサイズは、１ビット分大きくなってもよい。これにより、従来のＰＵＳＣＨスケジューリングと、オプショングラントスケジューリングを含むＵＬ部分開始／終了ＳＦスケジューリングとの間の区別用のフラグが含まれる。
・ＵＬグラントは、各サブフレームでシグナリングされるようにダイナミックであるか、より長い期間（例えば、ｎ番目のサブフレーム毎）で有効な、半固定的グラントであってもよい。
３．１ビットの区別用フラグに応じて以下のとおりとなる。
・ビットが従来の挙動を示す場合（すなわち、サブフレームスケジューリング粒度）、ＰＵＳＣＨを、従来のｅＬＡＡ／ＭｕｌｔｅＦｉｒｅ動作のとおりに動作する。
・ビットが非オプショングラントＵＬ部分開始／部分終了サブフレームスケジューリングまたはオプショングラントスケジューリングを示す場合、ステップ４から６に記載の挙動に応じて動作する。
４．ＰＵＳＣＨ送信を、受信したグラントに基づいて用意する。
・４Ａ：ＵＬ部分終了ＳＦ（例えば、表２ｂＢの状態「０００」から「０１１」）、ＵＬ部分開始サブフレーム（例えば、表２ｂＢの状態「１００」から「１０１」）、または部分的ＵＬ  ＳＦの２つ（以上）の割り当てオプション（例えば、表２ｂの状態「１１０」）がスケジューリングされる場合、ＴＢＳ判定は、利用可能なＰＵＳＣＨシンボルの内、低い数を考慮する。７つのシンボルのＵＬ  ｓＴＴＩまたはＵｐＰＴＳにおけるＰＵＳＣＨ送信で行われるのと同様のＴＢＳスケーリングが利用されてもよい。
・４Ｂ：シンボル数の異なる２つの割り当てオプション（オプショングラントを使用）がスケジューリングされる場合、ＴＢＳ判定には２つのオプションがある。ここでは、例として、オプショングラントが、Ｒｅｌ．１４  ｅＬＡＡ  ＵＬサブフレームを第１割り当てオプションとして、ＵＬ部分開始ＳＦ（表２ｂＢの状態「１１１」）を第２割り当てオプションとして含む場合を考える。ただし、この原理は、各割り当てオプションについて、シンボル数の異なるあらゆるリソース割り当てに適用可能である。
ｉ．４Ｂ  選択肢１：両方の割り当てオプションについてのＴＢＳが、より多くのＰＵＳＣＨシンボルを含む第１割り当てオプションで定義される。この例では、ＴＢＳは、Ｒｅｌ．１４  ｅＬＡＡ  ＵＬサブフレーム（すなわちＴＢＳスケーリングなし）で定義される。第２割り当てオプションでの送信の場合、ＳＣ−ＦＤＭＡ／ＰＵＳＣＨシンボルのより小さい数でもより大きなＴＢが送信される。この動作については以下により詳細に説明する。
ｉｉ．４Ｂ  選択肢２：両方の割り当てオプションについてのＴＢＳが、第２割り当てオプションで定義される。すなわち、ＴＢＳ判定は、ＰＵＳＣＨシンボルのより小さい数に基づく。７つのシンボルのＵＬ  ｓＴＴＩまたはＵｐＰＴＳにおけるＰＵＳＣＨ送信で行われるのと同様のＴＢＳスケーリングが利用されてもよい。いくつかの実施形態では、ＵＥは、第１割り当てオプションを使用する場合、第１割り当てオプションの利用可能なシンボル数に応じて、ＴＢＳを判定し、第２割り当てオプションを使用する場合、第２割り当てオプションの利用可能なシンボル数に応じて、ＴＢＳを判定する。いくつかの実施形態では、ＵＥは、第２割り当てオプションの利用可能なシンボル数に応じて、ＴＢＳを判定し、このＴＢＳを、第１オプションまたは第２オプションでの送信にかかわらず使用する。この場合、ＵＥは省電力で処理を実行できるが、第１割り当てオプションが使用される場合、帯域が無駄に使用されうる。
選択肢１または２に応じて、ＰＵＳＣＨのＴＢＳ判定の動作を実行するという判断は、事前に設定されてもよい（例えば３ＧＰＰ仕様による）し、ダイナミックに指示されてもよいし、あるいはより上位層から設定されてもよい（例えばＲＲＣ設定の一部となる）。これらＴＢＳ判定モード間のトレードオフと動作についても、より詳しく後述する。
５．ＵＬ部分開始または部分終了サブフレームのみが非オプショングラントを使用してスケジューリングされる場合（すなわち、表２ｂの状態０００から１０１）、以下のとおりとなる。
・シグナリングされた開始タイミングで、送信が開始されるように、ＬＢＴ／ＣＣＡ手順を実行する。
・ＬＢＴ／ＣＣＡ手順が正しく行われると、スケジューリングされたＵＬ部分サブフレームで（スロット＃０またはスロット＃１のいずれかにおいて）ＰＵＳＣＨを送信する。
６．ＵＥが、オプショングラントを使用して、２つの割り当てオプションでスケジューリングされる場合（すなわち、表２ｂの状態１１０から１１１）、以下のとおりとなる。
・ＵＥは、第１割り当てオプションに応じて送信を開始するように、ＬＢＴを実行する。
・チャネルが利用可能である場合、ＵＥはＰＵＳＣＨをオプショングラントの第１割り当てオプションに応じて送信する。表２ｂの例においては以下のようになる。
ｉ．シグナリングが「１１０」を示す場合、ＵＬ部分終了サブフレームが送信される（すなわち、スロット＃０における送信）。
ｉｉ．シグナリングが「１１１」を示す場合、完全ＵＬサブフレームが送信される。
・サブフレームにおける第１割り当てオプションに応じた送信用にチャネルが使用できない場合、ＵＥは、例えばスロット境界における第２割り当てオプションの開始まで、チャネルへのアクセスを試み続けてもよい（ＬＢＴ／ＣＣＡを使用）。チャネルアクセスができた場合、ＵＥは、第２割り当てオプション（例えば、シンボル＃７、すなわちスロット＃１で開始する）に応じて部分開始サブフレームにおいてＰＵＳＣＨを送信する。
【００５６】
ＵＥの実施例として記載のとおり、付与された（部分）サブフレームが、それぞれ異なる数のシンボルを担う場合、２つの異なるＴＢＳ判定モードが可能である。以下、ＴＢＳ判定について、表２ｂの状態「１１１」に基づいてより詳細に説明する。これは、Ｒｅｌ．１４  ｅＬＡＡ  ＵＬサブフレームと、Ｒｅｌ．１５のさらに拡張されたＬＡＡ  ＵＬ部分開始サブフレームの組み合わせであるが、同じ原理をオプショングラントにおけるその他の（部分）サブフレームの組合せに適用してもよい。
【００５７】
選択肢１として、ＵＥがサブフレームの開始時にチャネルにアクセス可能であると仮定して（第１割り当てオプションを利用可能である）、動作が最適化される。ＴＢＳは、Ｒｅｌ．１４ＵＬサブフレームが利用可能であると仮定して定義されてもよい。送信がその後第２割り当てオプションで行われる場合（すなわち、代わりに部分ＵＬサブフレームが使用される）、ＰＵＳＣＨデータを伝達するのに、より少ない（約半数の）シンボルを利用可能である。したがって名目上、部分ＵＬサブフレームに、すべての情報ビットが含まれないこともある。ここでも、第２割り当てオプションにおける送信について異なる複数の選択肢が提供される。
・選択肢１−１として、ＵＥは、決定された変調次数を維持した状態で、より少ない数の情報ビットをＰＵＳＣＨ  ＳＣ−ＦＤＭＡシンボルにマッピングしてもよい。これにより、約２倍の効率的な符号化率の上昇が図られる。
・なお、ｅＮＢは、この効率的な符号化率の上昇を、ＵＬに対するオプショングラントでシグナリングされるＭＣＳの定義の際にあらかじめ考慮しておいてもよい（すなわち、ＵＬ部分サブフレーム復号／第２割り当てオプションでのアップリング信号復号が適切に行われるように、比較的従前式のリンクアダプテーションを実行することによる）。
・選択肢１−２において、ＵＥは、第２割り当てオプションに応じて送信の場合、より高次の変調次数を利用して、第２（より短い）割り当てオプションに対し、低減したＰＵＳＣＨ  ＲＥ（シンボル）数を（一部）補うようにしてもよい。ＵＥは、変調次数を次の利用可能なレベルに適用してもよい。例えば、ＱＰＳＫの代わりに、ＵＥは、１６ＱＡＭを適用しうる。また、１６ＱＡＭの代わりに６４ＱＡＭ、そして２５６ＱＡＭ対応端末に対しては、ＤＣＩフォーマットで示された６４ＱＡＭの代わりに２５６ＱＡＭを利用しうる。いずれにせよｅＮＢは、異なる割り当てオプションの両方について確認を行うため、第２割り当てオプションに応じた送信用のＵＥによる変調次数の変更は、ｅＮＢにも伝わる。
上述のように２つのさらなる選択肢を定義／あらかじめ定義されてもよいし（例えば、３ＧＰＰ仕様に応じて）、あるいは、より上位層で設定されてもよい（例えばＲＲＣ構成の一部として）。いくつかの実施形態では、２つの選択肢を合成してもよい。すなわち、第２割り当てオプションにおいて、より高い変調次数で、より少ない情報ビットを送信してもよい。
【００５８】
選択肢２について、ＵＥがより早い割り当てオプション（例えばサブフレームの開始時）でチャネルにアクセスできず、代わりに第２リソース割り当てオプションを使用する可能性が高いと仮定して、動作が最適化／定義されてもよい。ＵＥが、第１割り当てオプション（Ｒｅｌ．１４  ｅＬＡＡ  ＵＬサブフレーム、表２ｂの例では状態１１１）で送信できる場合、公称符号化率は、ＭＣＳが直接付与するものと比較して、約半分となる。選択肢１−１と同様に、可能なＭＣＳを選択することで、ｅＮＢは、この動作を考慮して、信頼性と性能との良好なトレードオフを実現する。これについて、動作の観点から、選択肢１−１と選択肢２は比較的似ている。
【００５９】
図１は、本発明の実施形態に係る装置を示す。この装置は、ｅＮＢ等の基地局か、その要素であってもよい。図２は、本発明の実施形態に係る方法を示す。図１の装置は、図２の方法を実行してもよいが、この方法に限定されない。図２の方法は、図１の装置に実行されてもよいが、この装置に実行されることに限定されない。
【００６０】
当該装置は、スケジューリング手段１０と、第１確認手段２０と、第２確認手段３０と、指示手段４０とを備える。スケジューリング手段１０、第１確認手段２０、第２確認手段３０、および指示手段４０は、それぞれスケジューリングプロセッサ、第１確認プロセッサ、第２確認プロセッサ、および指示プロセッサであってもよい。
【００６１】
スケジューリング手段１０は、オプショングラントにより、端末のアップリンク送信をスケジューリングする（Ｓ１０）。オプショングラントは、サブフレームに対して、アップリンク送信を開始するための第１割り当てオプション（リソース割り当てオプション）と、アップリンク送信を開始するための第２割り当てオプション（リソース割り当てオプション）とを含む。第１割り当てオプションは、サブフレームにおいて、第２割り当てオプションよりも早い。
【００６２】
第１確認手段２０は、第１割り当てオプションでアップリング送信が受信されたかを確認する（Ｓ２０）。
【００６３】
第１割り当てオプションでアップリンク送信が受信されていなければ（Ｓ２０＝「ｎｏ」）、第２確認手段３０が、第２割り当てオプションでアップリング送信が受信されたかを確認する（Ｓ３０）。
【００６４】
第１および第２割り当てオプションのいずれかでアップリンク送信が受信された場合（Ｓ２０＝「ｙｅｓ」またはＳ３０＝「ｙｅｓ」）、指示手段４０は、受信したアップリンク送信の処理（例えば、アップリンク送信の復調）を指示する（Ｓ４０）。
【００６５】
図３は、本発明の実施形態に係る装置を示す。この装置は、ＵＥ等の端末か、その要素であってもよい。図４は、本発明の実施形態に係る方法を示す。図３の装置は、図４の方法を実行してもよいが、この方法に限定されない。図４の方法は、図３の装置に実行されてもよいが、この装置に実行されることに限定されない。
【００６６】
当該装置は、確認手段１１０と、第１判定手段１２０と、第１開始手段１３０と、第２判定手段１４０、第２開始手段１５０とを備える。確認手段１１０、第１判定手段１２０、第１開始手段１３０、第２判定手段１４０、および第２開始手段１５０は、それぞれ確認プロセッサ、第１判定プロセッサ、第１開始プロセッサ、第２判定プロセッサ、および第２開始プロセッサであってもよい。
【００６７】
確認手段１１０は、アップリンク送信に対するオプショングラントが受信されたか確認する（Ｓ１１０）。オプショングラントは、サブフレームに対して、アップリンク送信を開始するための第１割り当てオプション（リソース割り当てオプション）と、アップリンク送信を開始するための第２割り当てオプション（リソース割り当てオプション）とを含む。第１割り当てオプションは、サブフレームにおいて、第２割り当てオプションよりも早い。
【００６８】
第１判定手段１２０は、第１割り当てオプションでアップリンク送信が許可されているか判定する（Ｓ１２０）。例えば当該判定は、ＬＢＴ手順の結果に基づいて行われてもよい。
【００６９】
Ｓ１１０とＳ１２０は、任意の順序で行われてもよいし、すべてまたは一部平行に実行されてもよい。いくつかの実施形態では、オプショングラントが受信された場合（Ｓ１１０＝「ｙｅｓ」）にのみ、Ｓ１２０が実施されてもよい。
【００７０】
オプショングラントが受信されて（Ｓ１１０＝「ｙｅｓ」）、第１割り当てオプションでアップリンク送信が許可されると（Ｓ１２０＝「ｙｅｓ」）、第１開始手段１３０が、第１割り当てオプションでアップリンク送信を開始する（Ｓ１３０）。本発明のいくつかの実施形態では、Ｓ１３０を終えると方法が終了する。
【００７１】
第２判定手段１４０は、第２割り当てオプションでアップリンク送信が許可されているか判定する（Ｓ１４０）。例えば当該判定は、ＬＢＴ手順の結果に基づいて行われてもよい。いくつかの実施形態では、第１割り当てオプションでアップリンク送信が開始しなかった（Ｓ１１０＝「ｎｏ」およびＳ１２０＝「ｎｏ」の少なくとも一方）場合にのみ、Ｓ１４０が実行される。
【００７２】
オプショングラントが受信され（Ｓ１１０＝「ｙｅｓ」）、第１割り当てオプションでアップリンク送信が許可されず（Ｓ１２０＝「ｎｏ」）、第２割り当てオプションでアップリンク送信が許可されると（Ｓ１４０＝「ｙｅｓ」）、第２開始手段１５０は第２割り当てオプションでアップリンク送信を開始する（Ｓ１５０）。
【００７３】
図５は、本発明の実施形態に係る装置を示す。この装置は、少なくとも１つのプロセッサ４１０と、コンピュータプログラムコードを含む少なくとも１つのメモリ４２０と、を備える。少なくとも１つのプロセッサ４１０は、少なくとも１つのメモリ４２０およびコンピュータプログラムコードによって、装置に少なくとも図２および４に記載の方法の内の少なくとも１つを実行させるように構成される。
【００７４】
本発明の実施形態は、ＬＴＥ−Ａネットワークにおいて採用されてもよい。ＣＤＭＡ、ＥＤＧＥ、ＬＴＥ、ＵＴＲＡＮネットワーク等の、基地局によりアップリンク送信がスケジューリングされるその他モバイルネットワークで採用されてもよい。（アン）ライセンスバンドＬＴＥに加え、本発明のいくつかの実施形態は、ＭｕｌｔｅＦｉｒｅに適用されてもよい。
【００７５】
部分開始位置の数は、オプショングラントに対して２つに限定されない。この数は実施に応じて、２つ、または３つ、４つ等であってもよい。部分終了位置の数は、オプショングラントに対して２つに限定されない。この数は実施に応じて、２つ、または３つ、４つ等であってもよい。
【００７６】
状態の数（異なるグラントの数）に応じて、状態を示すビット数が変わってもよい。具体的には、状態の数は８つに限定されない。いくつかの実施形態では、ｅＮＢは、オプショングラントである、１種類のみのグラントを提供してもよい。好ましくは、状態の数（異なるグラントの数）は、ｎ＝０、または１、または２、または３等として、２ｎ個である。
【００７７】
いくつかの実施形態では、可能なすべてのグラントが、オプショングラントであってもよい。例えば、そのような実施形態では、表２ｂの状態０００から１０１もオプショングラントを定義する。
【００７８】
本発明の実施形態を、ＵＥがＬＢＴ機構に基づいて、オプショングラントの第１または第２（第３、第４…）割り当てオプションで送信が許可されているかを判定するものとして説明してきた。しかし、本発明はこの基準に限定されない。ＵＥがオプショングラントを受信して、何らかの理由でアップリンク送信に第１割り当てオプションを利用することが妨げられている場合、代わりに第２（第３、第４…）を利用してもよい。例えば、ＵＥは、第１割り当てオプションでその他ＵＥ内部処理を行っているため、第１割り当てオプションの使用が許可されない場合がある。
【００７９】
端末は、携帯電話、スマートフォン、ＰＤＡ、ノートパソコン、タブレットＰＣ、ウェアラブル、Ｍ２Ｍ装置、ＩｏＴ装置、またはモバイルネットワークに接続されうるその他任意のデバイスのような、ユーザ機器であってもよい。
【００８０】
１つの情報が、１つのエンティティから別のエンティティに、１つまたは複数のメッセージで送信されてもよい。これらメッセージはそれぞれ、さらに（異なる）情報を含んでもよい。
【００８１】
ネットワーク要素、プロトコル、および方法の名称は、現行の規格に基づく。その他バージョンまたはその他技術では、対応する機能を提供する限りにおいて、これらネットワーク要素や、プロトコルや、方法の名称は異なってもよい。
【００８２】
別途記載がない限り、または文脈から明らかでない限り、２つのエンティティが異なるという記載は、それらが異なる機能を実行することを意味するが、必ずしも異なるハードウェアで動作することを意味するわけではない。つまり、本開示に記載されたそれぞれのエンティティは、異なるハードウェアで動作してもよいし、エンティティの一部またはすべてが同じハードウェアで動作してもよい。また、エンティティは必ずしも異なるソフトウェアで動作することを意味するものでもない。つまり、本開示に記載されたそれぞれのエンティティは、異なるソフトウェアで動作してもよいし、エンティティの一部またはすべてが同じソフトウェアで動作してもよい。本開示に記載されたそれぞれのエンティティは、クラウドで実施されていてもよい。
【００８３】
上述の記載によると、本発明の例示的実施形態は、例えば、ｅＮｏｄｅＢ等の基地局、またはその構成要素、これを用いた装置、これを制御および／または動作させる方法、これを制御および／または動作させるコンピュータプログラム、このコンピュータプログラムが保存され、コンピュータプログラム製品をなす媒体を提供することが明らかである。上述の記載によると、本発明の例示的実施形態は、例えば、ユーザ機器等の端末、またはその構成要素、これを用いた装置、これを制御および／または動作させる方法、これを制御および／または動作させるコンピュータプログラム、このコンピュータプログラムが保存され、コンピュータプログラム製品をなす媒体を提供することが明らかである。
【００８４】
上述のいずれかのブロック、装置、システム、技術、または方法を実施することは、ハードウェア、ソフトウェア、ファームウェア、専用回路または論理回路、汎用ハードウェアまたはコントローラまたはその他のコンピュータデバイス、またはこれらの組合せであることが含まれるが、これらに限定されない。
【００８５】
上述の記載は、現時点で本明細書の好適な実施形態と考えられているものであることが理解されよう。ただし、好適な実施形態は例示のためにのみ記載されたものであり、添付の特許請求の範囲に定義されている本発明の範囲から逸脱することなく様々な変更を加えることができる。
【図１】
2020511882.tif 000005
【図２】
2020511882.tif 000006
【図３】
2020511882.tif 000007
【図４】
2020511882.tif 000008
【図５】
2020511882.tif 000009
【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
第１サブフレームに対して、第１アップリンク送信を開始するための第１割り当てオプションと、前記第１アップリンク送信を開始するための第２割り当てオプションとを含むオプショングラントにより、端末の前記第１アップリンク送信をスケジューリングすることと、
前記第１割り当てオプションで前記第１アップリンク送信が受信されたかを確認することと、
前記第１割り当てオプションで前記第１アップリンク送信が受信されない場合、前記第２割り当てオプションで前記第１アップリンク送信が受信されたかを確認することと、
前記第１割り当てオプションと前記第２割り当てオプションの一方で前記第１アップリンク送信が受信された場合に、前記第１アップリンク送信の処理を指示することと、
を含み、前記第１サブフレーム内で、前記第２割り当てオプションよりも前記第１割り当てオプションが早い、方法。
【請求項２】
第２アップリンク送信を開始するための第３割り当てオプション１つのみを第２サブフレームに対して含む、非オプショングラントにより、前記端末の前記第２アップリンク送信をスケジューリングすることと、
前記第２アップリンク送信を受信させることと、
をさらに含む、請求項１に記載の方法。
【請求項３】
前記端末に、オプショングラントの送信に対応するシグナリング方式を使用して、前記第１アップリンク送信がスケジューリングされたことと、オプショングラントの送信に対応しないシグナリング方式を使用して、前記第２アップリンク送信がスケジューリングされたことの少なくとも一方を示すことをさらに含む、請求項１または２に記載の方法。
【請求項４】
前記端末が前記第１割り当てオプションで前記第１アップリンク送信を送信する場合、前記端末に、前記第１アップリンク送信において、第１変調次数で変調された第１の数の情報ビットを送信するように指示することと、
前記端末が前記第２割り当てオプションで前記第１アップリンク送信を送信する場合、前記端末に、前記第１アップリンク送信において、第２変調次数で変調された第２の数の情報ビットを送信するように指示することと、
前記第１アップリンク送信が前記第１割り当てオプションで受信される場合、前記第１アップリンク送信で受信された前記第１の数の情報ビットを、前記第１変調次数で復調するように指示することと、
前記第１アップリンク送信が前記第２割り当てオプションで受信される場合、前記第１アップリンク送信で受信された前記第２の数の情報ビットを、前記第２変調次数で復調するように指示することと、をさらに含み、
前記第２変調次数は、前記第１変調次数以上であり、
前記第２の数は、前記第１の数より小さい、請求項１から３のいずれか一項に記載の方法。
【請求項５】
前記第１変調次数は、前記第２変調次数と等しい、請求項４に記載の方法。
【請求項６】
前記端末が前記第１割り当てオプションで前記第１アップリンク送信を送信する場合、前記端末に、前記第１アップリンク送信において、第３変調次数で変調された第３の数の情報ビットを送信するように指示することと、
前記端末が前記第２割り当てオプションで前記第１アップリンク送信を送信する場合、前記端末に、前記第１アップリンク送信において、第４変調次数で変調された第４の数の情報ビットを送信するように指示することと、
前記第１アップリンク送信が前記第１割り当てオプションで受信される場合、前記第１アップリンク送信で受信された前記第３の数の情報ビットを、前記第３変調次数で復調するように指示することと、
前記第１アップリンク送信が前記第２割り当てオプションで受信される場合、前記第１アップリンク送信で受信された前記第４の数の情報ビットを、前記第４変調次数で復調するように指示することと、
をさらに含み、
前記第４変調次数は、前記第３変調次数より大きく、
前記第４の数は、前記第３の数よりも以下である、請求項１から４のいずれか一項に記載の方法。
【請求項７】
前記第３の数は、前記第４の数と等しい、請求項１から３のいずれか一項に従属する請求項６に記載の方法。
【請求項８】
サブフレームに対して、アップリンク送信を開始するための第１割り当てオプションと、前記アップリンク送信を開始するための第２割り当てオプションとを含むオプショングラントが、アップリンク送信に対して受信されたか確認することと、
前記第１割り当てオプションで前記アップリンク送信が許可されているかを判定することと、
前記オプショングラントが受信され、前記アップリンク送信が前記第１割り当てオプションで許可されている場合、前記第１割り当てオプションで前記アップリンク送信を開始することと、
前記第２割り当てオプションで前記アップリンク送信が許可されているかを判定することと、
前記オプショングラントが受信され、前記アップリンク送信が第１割り当てオプションで許可されておらず、前記アップリンク送信が前記第２割り当てオプションで許可されている場合、前記第２割り当てオプションで前記アップリンク送信を開始することと、
を含み、前記サブフレーム内で、前記第２割り当てオプションよりも前記第１割り当てオプションが早い、方法。
【請求項９】
前記第１割り当てオプションで前記アップリンク送信が許可されているかを判定することは、前記第１割り当てオプションで前記アップリンク送信用のリソースが空いている場合、前記第１割り当てオプションで前記アップリンク送信が許可されていると判定するように、前記第１割り当てオプションで前記アップリンク送信用の前記リソースが空いているか尋ねることと、
前記２割り当てオプションで前記アップリンク送信が許可されているかを判定することは、前記第２割り当てオプションで前記アップリンク送信用のリソースが空いている場合、前記第２割り当てオプションで前記アップリンク送信が許可されていると判定するように、前記第２割り当てオプションで前記アップリンク送信用の前記リソースが空いているか尋ねることと、
をさらに含む請求項８に記載の方法。
【請求項１０】
前記アップリンク送信を制御する基地局が前記オプショングラントを提供しないことを示す標示が受信されたかを監視することと、
前記標示が受信された場合、前記オプショングラントが受信されたか確認することを禁じることと、
をさらに含む請求項８または９に記載の方法。
【請求項１１】
前記第１割り当てオプションで前記アップリンク送信が開始する場合、前記サブフレームの前記アップリンク送信において、第１の数の情報ビットを、第１変調次数で送信することと、
前記第２割り当てオプションで前記アップリンク送信が開始する場合、前記サブフレームの前記アップリンク送信において、第２の数の情報ビットを、第２変調次数で送信することと、
をさらに含み、
前記第２変調次数は、前記第１変調次数以上であり、
前記第２の数は、前記第１の数より小さい、請求項８から１０のいずれか一項に記載の方法。
【請求項１２】
前記第１変調次数は、前記第２変調次数と等しい、請求項１１に記載の方法。
【請求項１３】
前記第１割り当てオプションで前記アップリンク送信が開始する場合、第３の数の情報ビットの前記アップリンク送信を、第３変調次数で変調することと、
前記第２割り当てオプションで前記アップリンク送信が開始する場合、第４の数の情報ビットの前記アップリンク送信を、第４変調次数で変調することと、
をさらに含み、
前記第４変調次数は、前記第３変調次数より大きく、
前記第４の数は、前記第３の数以下である、請求項８から１１のいずれか一項に記載の方法。
【請求項１４】
前記第３の数は、前記第４の数に等しい、請求項８から１０のいずれか一項に従属する請求項１３に記載の方法。
【請求項１５】
処理手段及び記憶手段を備える装置であって、前記記憶手段はプログラム命令を格納し、前記プログラム命令は、前記処理手段に実行されると、前記装置に、請求項１から７のいずれかに記載の方法を遂行させるように構成される、装置。
【請求項１６】
処理手段及び記憶手段を備える装置であって、前記記憶手段はプログラム命令を格納し、前記プログラム命令は、前記処理手段に実行されると、前記装置に、請求項８から１４のいずれかに記載の方法を遂行させるように構成される、装置。
【請求項１７】
第１サブフレームに対して、第１アップリンク送信を開始するための第１割り当てオプションと、前記第１アップリンク送信を開始するための第２割り当てオプションとを含むオプショングラントにより、端末の前記第１アップリンク送信をスケジューリングする手段と、
前記第１割り当てオプションで前記第１アップリンク送信が受信されたかを確認する手段と、
前記第１割り当てオプションで前記第１アップリンク送信が受信されない場合、前記第２割り当てオプションで前記第１アップリンク送信が受信されたかを確認する手段と、
前記第１割り当てオプションと前記第２割り当てオプションの一方で前記第１アップリンク送信が受信された場合に、前記第１アップリンク送信の処理を指示する手段と、
を備え、前記第１サブフレーム内で、前記第２割り当てオプションよりも前記第１割り当てオプションが早い、装置。
【請求項１８】
サブフレームに対して、アップリンク送信を開始するための第１割り当てオプションと、前記アップリンク送信を開始するための第２割り当てオプションとを含むオプショングラントが、前記アップリンク送信に対して受信されたか確認する手段と、
前記第１割り当てオプションで前記アップリンク送信が許可されているかを判定する手段と、
前記オプショングラントが受信され、前記アップリンク送信が前記第１割り当てオプションで許可されている場合、前記第１割り当てオプションで前記アップリンク送信を開始する手段と、
前記第２割り当てオプションで前記アップリンク送信が許可されているかを判定する手段と、
前記オプショングラントが受信され、前記アップリンク送信が第１割り当てオプションで許可されておらず、前記アップリンク送信が前記第２割り当てオプションで許可されている場合、前記第２割り当てオプションで前記アップリンク送信を開始する手段と、
を備え、前記サブフレーム内で、前記第２割り当てオプションよりも前記第１割り当てオプションが早い、装置。
【請求項１９】
装置の処理手段に実行されると、前記装置に、請求項１から７のいずれかに記載の方法を遂行させるように構成されるプログラム命令を備える、コンピュータプログラム。
【請求項２０】
装置の処理手段に実行されると、前記装置に、請求項８から１４のいずれかに記載の方法を遂行させるように構成されるプログラム命令を備える、コンピュータプログラム。
【国際調査報告】
2020511882.tif 000010
2020511882.tif 000011